(57)【要約】【課題】屋外から通風路内に雨水が進入したとしても、雨水が室内へ滴下するのを防止することができる換気装置を提供することを目的とする。【解決手段】屋外と室内を連通し、室内の壁面に貫通される通風路２内に収納される筒部３と、筒部３内と連通し室内側に配設されたルーバー９と、筒部３内と連通する位置に設けられるフィルター５とを備え、筒部３内を室内側へ進入する水をフィルター５で受け止め、フィルター５から室内側へしみ出た水分は、フィルター５よりも室内寄りに設けた、フィルター５の下方に設けられた第１のリブ１１と、第１のリブ１１に押圧する緩衝材１３とにより貯水可能とする構成としたので、雨水が室内へ滴下するのを防止することができる。【選択図】図１
2006097961.tif 000002
【特許請求の範囲】
【請求項１】
屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けた止水手段で貯水可能としたことを特徴とする換気装置。
【請求項２】
前記止水手段は、前記フィルターの下方に設けられたリブと、前記リブに押圧する緩衝材とからなることを特徴とする請求項１に記載の換気装置。
【請求項３】
前記リブは前記フィルターの下方に向けて複数本並設したことを特徴とする請求項２に記載の換気装置。
【請求項４】
前記緩衝材は独立発泡素材としたことを特徴とする請求項２または３に記載の換気装置。
【請求項５】
前記フィルターより室内側に、前記筒部の内周面における底面よりも高く形成した仕切りを設けたことを特徴とする請求項１〜４のいずれかに記載の換気装置。
【請求項６】
前記筒部の内周面における底面に、屋外側より室内側の方が高い傾斜部を設けたことを特徴とする請求項１〜５のいずれかに記載の換気装置。
【請求項７】
前記筒部の端部から外方に向けて突出して形成されるフレームの室内側に、前記フィルターを固定するためのフィルター押えを配置し、前記フィルター押えの下部に前記リブを一体に形成したことを特徴とする請求項２、３、または４に記載の換気装置。
【請求項８】
前記フィルター押えを樹脂で成形したことを特徴とする請求項７に記載の換気装置。
【請求項９】
前記リブの一部を水平に形成したことを特徴とする請求項２、３、４、または７に記載の換気装置。
【発明の詳細な説明】
【技術分野】
【０００１】
本発明は、フィルターを備え、屋外と室内を連通する通風路の室内側に設けられる換気装置に関する。
【背景技術】
【０００２】
従来、この種の換気装置としては、屋外と室内を連通する通風路と室内を連通させるために室内側から設置される通風端末器が知られている（例えば、特許文献１参照）。
【０００３】
以下、図５をもとにその構成を説明する。室内壁を貫通し、屋外と室内を連通して形成される換気風路２０の一部の室内側に設置される調節筒２１と、この調節筒２１内の通風を調節するために備えられた調整板２２と、調節筒２１内を通って屋外から流入する空気を室内に吹き出すために、調節筒２１内と連通する吹出口を形成するルーバー２３とを備えて構成され、屋外の空気は、調整板２２の下部および側部と調節筒２１の内周面との隙間を通り調節筒２１内を流れ、前記吹出口から室内へ吹き出されるものである。
【特許文献１】特開平７−２３３９８０号公報
【発明の開示】
【発明が解決しようとする課題】
【０００４】
しかしながら、上記従来の換気装置では、屋外からの雨水の進入防止は調整板２２による進入経路の妨害のみであり、調整板２２を越えて進入した雨水は室内側に滴下してしまうという課題があった。
【０００５】
本発明は、このような従来の課題を解決するものであり、屋外から通風路内に雨水が進入したとしても、雨水が室内へ滴下するのを防止することができる換気装置を提供することを目的とする。
【課題を解決するための手段】
【０００６】
上記従来の課題を解決するために、本発明の換気装置は、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けた止水手段で貯水可能としたこと特徴とする。
【０００７】
また、本発明の換気装置は、前記止水手段は、前記フィルターの下方に設けられたリブと、前記リブに押圧する緩衝材とからなることを特徴とする。
【０００８】
また、本発明の換気装置は、前記リブは前記フィルターの下方に向けて複数本並設したことを特徴とする。
【０００９】
また、本発明の換気装置は、前記緩衝材は独立発泡素材としたことを特徴とする。
【００１０】
また、本発明の換気装置は、前記フィルターより室内側に、前記筒部の内周面における底面よりも高く形成した仕切りを設けたことを特徴とする。
【００１１】
また、本発明の換気装置は、前記筒部の内周面における底面に、屋外側より室内側の方が高い傾斜部を設けたことを特徴とする。
【００１２】
また、本発明の換気装置は、前記筒部の端部から外方に向けて突出して形成されるフレームの室内側に、前記フィルターを固定するためのフィルター押えを配置し、前記フィルター押えの下部に前記リブを一体に形成したことを特徴とする。
【００１３】
また、本発明の換気装置は、前記フィルター押えを樹脂で成形したことを特徴とする。
【００１４】
また、本発明の換気装置は、前記リブの一部を水平に形成したことを特徴とする。
【発明の効果】
【００１５】
以上のように本発明の換気装置によれば、フィルターに付着した雨水などが室内への滴下するのを防ぐことができる。
【発明を実施するための最良の形態】
【００１６】
請求項１に記載の換気装置の発明は、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けた止水手段で貯水可能としたこと特徴とするものであり、前記筒部内を室内側に向かって進入する結露水、雨水などをまずフィルターで保水し、さらにフィルターの保水能力を超えた水分が室内側に向けてしみ出た場合であっても、止水手段により一定量は貯水することができるので、室内に前記水を滴下させてしまい床や室内壁を汚してしまうような事態を防止することができる換気装置が得られる。また、止水手段により貯水された水は、その後の、乾いた風や、暖かい風などの通風により、蒸発するものであり、半永久的に溜まり続けること皆無である。
【００１７】
請求項２に記載の発明は、請求項１に記載の換気装置において、前記止水手段は、前記フィルターの下方に設けられたリブと、前記リブに押圧する緩衝材とからなることを特徴とするものであり、前記リブに緩衝材が当接されることにより、屋外から進入した雨水および霧や雪などがフィルターに付着した場合においても、リブと緩衝材により室内側への水の滴下を防ぐことができる。
【００１８】
請求項３に記載の発明は、請求項２に記載の換気装置において、前記リブは前記フィルターの下方に向けて複数本並設したことを特徴とするものであり、多量の雨水が進入してきた際に水圧によりフィルター近傍の第１のリブと緩衝材の隙間から水が進入してきた場合においても、第１のリブとさらに設けた第２のリブなどの間に貯水されることにより、確実に室内への水の滴下を防ぐことができる。
【００１９】
請求項４に記載の発明は、請求項２または３に記載の換気装置において、前記緩衝材は独立発泡素材としたことを特徴とするものであり、リブと緩衝材との隙間に貯水されている水の緩衝材への浸水を防ぎ、緩衝材内部への浸透による室内側への水の滴下を防ぐことができる。
【００２０】
請求項５に記載の発明は、請求項１〜４のいずれかに記載の換気装置において、前記フィルターより室内側に、前記筒部の内周面における底面よりも高く形成した仕切りを設けたことを特徴とするものであり、ルーバーの開口部を越えることなく、リブと緩衝材との隙間に貯水されている水を屋外側へ排水することができる。
【００２１】
請求項６に記載の発明は、請求項１〜５のいずれかに記載の換気装置において、前記筒部の内周面における底面に、屋外側より室内側の方が高い傾斜部を設けたことを特徴とするものであり、筒部内に進入した雨水が相当量溜まるような激しい雨風の場合でも、溜まる前に早急に屋外へ排水することができる。
【００２２】
請求項７に記載の発明は、請求項２、３、または４に記載の換気装置において、前記筒部の端部から外方に向けて突出して形成されるフレームの室内側に、前記フィルターを固定するためのフィルター押えを配置し、前記フィルター押えの下部に前記リブを一体に形成したことを特徴とするものであり、フィルター押えを取り付けるだけで止水手段をもたない換気装置に貯水機能を与えることができる。
【００２３】
請求項８に記載の発明は、請求項７に記載の換気装置において、前記フィルター押えを樹脂で成形したことを特徴とするものであり、フィルターに付着した水分によりフィルターが長期間濡れていた場合においても、金属ような錆びによる部品の劣化を防ぐことができる。
【００２４】
請求項９に記載の発明は、請求項２、３、４、または７に記載の換気装置において、前記リブの一部を水平に形成したことを特徴とするものであり、リブと緩衝材の隙間に溜まった水の水圧を分散することができる。
【００２５】
以下、本発明の実施の形態について図１〜図４を参照しながら説明する。
【００２６】
（実施の形態１）
本発明の換気装置について、外気の空気を取り入れ、室内側に備えた吹出口から室内に供給する給気端末機器を例にとり説明する。
【００２７】
図１に示すように、換気装置としての給気端末機器の本体１は、ルーバー９とフレーム６とから構成され、建物内の室内側壁面に配設され、室内を他の換気装置により負圧にすることで、屋外と室内を連通する通風路２により新鮮外気を導入し、室内へ供給するものである。通風路２には筒部３が挿着され、筒部３を介して通風路２と連通されたフレーム開口部４にフィルター５が配設されており、フィルター５はフレーム６と一体成形されているフィルター受け７とフィルター押え８により、フレーム６に固定されており、外気に含まれるゴミや虫などはフィルター５により捕集される。
【００２８】
フレーム６には、筒部３の端部に外方に向けて突出するフランジが形成され、フィルター５およびフレーム６を覆うようにパネル形状のルーバー９が配設されており、通風路２より導入された外気はフィルター５を通過し、フレーム開口部４と連通したルーバー開口部１０を介してフレーム６とルーバー９の間から室内に供給される。
【００２９】
フィルター５よりも室内寄りで、フィルター５の下方に設けられた第１のリブ１１と、第１のリブ１１に押圧される緩衝材１３とにより止水手段を構成し、フィルター５の保水容量を超え、フィルター５から室内側にしみ出た水分を貯水することができる。
【００３０】
上記構成において、通風路２から導入された外気に雨水や霧、雪などが混在した場合には、フィルター５に水滴が付着し、雨水等の室内への進入を防ぐこととなる。フィルター５が長時間にわたって水分を含んだ状態においても、フィルター受け７とフィター押え８は樹脂で成形されているので、金属のような錆びによる部品の劣化を防ぐことができる。
【００３１】
フィルター受け７は棒形状であり、フレーム開口部４の中央部にその開口部を横切るようにフレーム６と一体成形されており、フィルター５がフレーム開口部４に落ち込むのを防止する働きがある。またフィルター押え８は着脱可能で、フィルター押え８の外周に設けられた嵌合部によりフレーム６に固定される。フィルター押え８の外周は円形であり、中央部は空洞となっており、十字のリブが配設されている。フィルター５の外周はフィルター押え８の外縁によりフレーム６に固定され、フィルター５の中央部はフィルター受け７とフィルター押え８の十字のリブにより固定されている。
【００３２】
また、通風路２から導入された外気に多量の雨水が混在、もしくは長時間におよび雨水が混在し、フィルター５の保水容量を超えた場合においても、図２および図３に示すように、フィルター５の下方にフィルター５の下方を取り囲むように配設された第１のリブ１１、および第２のリブ１２をルーバー９の裏面に配設された緩衝材１３に押圧して圧接させることにより、ルーバー９とフレーム６の間に、第１のリブ１１により底面を、緩衝材１３とフレーム６により側面を構成することとなる袋構造１４がフィルター５の下方を覆うように形成されるため、フィルター５の保水容量を超えてフィルター５より水が室内側へしみ出てきた場合においても室内への水の滴下を防ぐことができる。また、図４に示すように、フィルター押え８においてフィルター下方を取り囲むようにフィルター５の外周縁に沿って第１のリブ１１Ａ、第２のリブ１２Ａを形成することによっても同様の効果を得ることができる。
【００３３】
袋構造１４に蓄積された水の水圧により、第１のリブ１１と緩衝材１３の隙間より水がしみ出た場合においても、第２のリブ１２により底面を、緩衝材１３とフレーム６により側面を構成する第２の袋構造１５が袋構造１４の下部に形成され、袋構造１４から水がしみ出た場合でも、第２の袋構造１５により貯水できるため、室内への水の滴下を防ぐことができる。
【００３４】
緩衝材１３を独立発泡材で構成した場合には、緩衝材の内部への水の浸透を防ぐことができるので、緩衝材１３を介してルーバー９に水がしみ出てくることによる室内への水の滴下を防ぐことができる。この独立発泡材としては日東電工製のエプトシーラーなどを使用するのが望ましい。
【００３５】
図３に示すように、ルーバー開口部１０には通風路２より高い位置に仕切り１６が設けられているので、ルーバー９とフレーム６の間に形成された袋構造１４に溜まった水は、ルーバー開口部１０を越えて室内に滴下することなく、筒部３を介して屋外に排出できる。また、筒部３の底面部は室内側が屋外側より高くなるような傾斜部１７を有しているので、筒部３内に溜まった水は屋外へスムーズに排出することができる。
【００３６】
また、第１のリブ１１および第２のリブ１２の下部はその一部分が水平になっており、円弧形状でリブを形成した場合に比べ、袋構造１４および第２の袋構造１５に蓄積された水の水圧がある程度分散されるため、水が第１のリブ１１および第２のリブ１２と緩衝材１３の隙間からしみ出にくい構造となっている。
【００３７】
次に、本発明の換気装置を用いて、室内への水の滴下の有無を確認した、水蒸気進入実験の結果を示す。
【００３８】
ケース内を負圧にすることにより、通風路２より約２０ｍ3／ｈの空気が導入される装置に本体１を設置する。通風路２の屋外側の開口部１８には加湿器が設置されており、加湿器からは１時間あたり１リットルの水蒸気が発生している。装置Ａが本発明の換気装置であり、装置Ｂがリブおよび筒部内面の傾斜、ルーバーの開口部の仕切りがない場合の換気装置である。
【００３９】
換気装置Ａにおいては、実験開始後３０分観察したが、水の滴下は発生しなかった。しかし、換気装置Ｂにおいては、実験開始後３分程度の経過すると、水の滴下現象が発生した。
【産業上の利用可能性】
【００４０】
本発明にかかる換気装置は、室内壁側に設けられ、フィルターを必要とする換気端末口、ファンを有する換気扇、空調空気吹出口などに有用である。
【図面の簡単な説明】
【００４１】
【図１】本発明の実施の形態１における設置状態を示す断面図
【図２】同換気装置のルーバーを取り外した状態を示す正面図
【図３】同換気装置の傾斜断面による断面図
【図４】同換気装置のフィルター押えにリブを配設した場合の正面図
【図５】従来の換気装置を示す断面図
【符号の説明】
【００４２】
１    換気装置
２    通風路
３    筒部
５    フィルター
６    フレーム
７    フィルター受け
９    ルーバー
１１  第１のリブ
１２  第２のリブ
１３  緩衝材
１６  仕切り
１７  傾斜部
【図１】
2006097961.tif 000003
【図２】
2006097961.tif 000004
【図３】
2006097961.tif 000005
【図４】
2006097961.tif 000006
【図５】
2006097961.tif 000007